(57)【特許請求の範囲】
【請求項１】
シャーシ(１)上に、記録媒体(６)と電気的に嵌合するコネクタ(７)と、記録媒体(６)をコネクタ(７)に対して接近又は離間する方向へ搬送するトレイ(４)と、トレイ(４)に連繋してトレイ(４)を動かす駆動カム(３)が設けられた記録又は再生装置に於いて、
駆動カム(３)には、記録媒体(６)がトレイ(４)から排出されたＥＪＥＣＴ状態と、記録媒体(６)がコネクタ(７)に嵌合する手前の状態との間でトレイ(４)に噛合する歯面(30)と、記録媒体(６)をコネクタ(７)に着脱する際に、トレイ(４)を駆動するカム溝(33)とが形成され、駆動カム(３)はシャーシ(１)上に回動自在に設けられ、
歯面(30)は駆動カム(３)の円形外周縁に形成され、カム溝(33)の終端部には、駆動カム(３)の回動中心と略同心に駆動カム(３)の円形外周縁よりも小径の円弧部(34)が設けられ、記録媒体(６)をコネクタ(７)に圧着させるときに、トレイ(４)は円弧部(34)に連繋していることを特徴とする記録又は再生装置。
【請求項２】
トレイ(４)には、記録媒体(６)の後端部を押し込む補助トレイ(５)が連繋し、記録媒体(６)をコネクタ(７)に圧着させるときに、補助トレイ(５)は円弧部(34)に嵌まっている、請求項１に記載の記録又は再生装置。
【発明の詳細な説明】
【０００１】
【発明の属する技術分野】
本発明は、記録媒体が自動的に挿入され、内部に該記録媒体に嵌合するコネクタが設けられた記録又は再生装置に関する。
【０００２】
【従来の技術】
図１１(a)、(b)は、従来の記録又は再生装置を簡略化して示す平面図である(特開平７−２４４７１１号参照)。これは、記録媒体としてＩＣカードが自動的に挿入される装置であり、以下の記載では記録媒体が挿入される方向を前方、記録媒体が排出される方向を後方とする。記録媒体(６)の前端部には第１コネクタ(60)が設けられ、装置のシャーシ(１)の前端部には第１コネクタ(60)に嵌合する第２コネクタ(７)が設けられている。シャーシ(１)には、記録媒体(６)が載置されるトレイ(４)が設けられ、トレイ(４)はシャーシ(１)に設けられモータ駆動される駆動カム(３)及び該駆動カム(３)のカム溝(33)に嵌まったレバー(97)によって、前後に移動する。トレイ(４)が記録媒体(６)を支持した状態で前進して、第１コネクタ(60)が第２コネクタ(７)に嵌合して、電気的に接続される。この状態で、第２コネクタ(７)を通じて記録媒体(６)に情報が記録され、又は記録媒体(６)から情報が再生される。
【０００３】
【発明が解決しようとする課題】
第１コネクタ(60)と第２コネクタ(７)が不用意に外れると、記録媒体(６)への情報の記録又は再生ができなくなるから、両コネクタ(60)(７)は強い力で圧着して確実に嵌まる必要がある。即ち、トレイ(４)を強い力で第２コネクタ(７)に向けて押し込む必要がある。
しかし、記録媒体(６)をトレイ(４)に載置してから、記録媒体(６)を第２コネクタ(７)に対向させるまでは、トレイ(４)を運ぶだけでよいから、トレイ(４)を強い力で動かす必要はない。むしろ、トレイ(４)を素早く移動させて、記録媒体(６)をトレイ(４)に載置してから、記録又は再生動作までの時間を短縮する必要がある。
本発明の目的は、負荷が軽いときにはトレイを素早く動かし、負荷が重いときにはトレイを低速でも力強く動かすことにある。
【０００４】
【課題を解決する為の手段】
トレイ(４)に連繋してトレイ(４)を動かす駆動カム(３)には、記録媒体(６)がトレイ(４)から排出されたＥＪＥＣＴ状態と、記録媒体(６)がコネクタ(７)に嵌合する手前の状態との間でトレイ(４)に噛合する歯面(30)と、記録媒体(６)をコネクタ(７)に着脱する際に、トレイ(４)を駆動するカム溝(33)とが形成されている。
駆動カム(３)はシャーシ(１)上に回動自在に設けられ、カム溝(33)の終端部には、駆動カム(３)の回動中心と略同心に円弧部(34)が設けられ、記録媒体(６)をコネクタ(７)に圧着させるときに、トレイ(４)は円弧部(34)に連繋している。
【０００５】
【作用及び効果】
トレイ(４)を、ＥＪＥＣＴ状態と記録媒体(６)がコネクタ(７)に嵌合する手前との間で動かす際には、トレイ(４)と駆動カム(３)の歯面(30)を噛合させる。記録媒体(６)と、シャーシ(１)上のコネクタ(７)を圧着させる際には、駆動カム(３)のカム溝(33)にてトレイ(４)を押す。
即ち、単にトレイ(４)を搬送すればよいときは、駆動カム(３)に加わる負荷が小さいから、トレイ(４)と駆動カム(３)の歯面(30)を噛合させる。記録媒体(６)をコネクタ(７)を圧着させるときは、駆動カム(３)に加わる負荷が大きいから、カム溝(33)を用いている。これにより、１つの駆動カム(３)にて記録媒体(６)を軽負荷にて素早く動かす動作と、記録媒体(６)を低速でも力強く動かす動作を切り換えることができ、記録媒体(６)を搬送するときの負荷に応じた適切な動作ができる。
また、トレイ(４)は駆動カム(３)のカム溝(33)の円弧部(34)に連繋しており、駆動カム(３)に加わる回転負荷のバラ付きにより、駆動カム(３)の回転角度がバラ付いても、トレイ(４)の位置はズレない。
【０００６】
【発明の実施の形態】
以下、本発明の一例を図を用いて詳述する。
図７は、記録媒体(６)の斜視図であり、一端部に第１コネクタ(60)を設けている。第１コネクタ(60)は多数の電気接片を横に並べた接片列(61)を設けている。
記録媒体(６)は、映像、音楽等の情報を記録できる箱体(図４参照)であっても、識別情報を記録したＩＣカードのようなものであってもよい。
図９は、第１コネクタ(60)が嵌まる第２コネクタ(７)の斜視図である。第２コネクタ(７)は回路基板(72)に取り付けられた箱体(73)内に設けられている。
【０００７】
図１は、本例に係わる装置の分解平面図である。シャーシ(１)からは一対の側板(10)(10)が立設し、両側板(10)(10)間にトレイ(４)及び補助トレイ(５)が配備される。シャーシ(１)の前端部に、前記第２コネクタ(７)及び回路基板(72)が設けられている。両側板(10)(10)からは規制片(11)(11)が内向きに突出しており、後記の如く、トレイ(４)に記録媒体(６)が載置されない状態で、トレイ(４)が前進するのを防ぐ。
トレイ(４)は、記録媒体(６)を載せる底板(40)の両側に側壁(41)(41)を立設し、該側壁(41)の前端部から第１突起(42)、後端部から段軸である第２突起(43)を夫々外向きに突出している。また、底板(40)の前端部に、記録媒体(６)が前進しすぎることを防ぐストッパ(44)が設けられている。底板(40)には窓孔(45)が開設され、該窓孔(45)内にラック(46)及び押し軸(47)が一段落ち込んで設けられている。側壁(41)(41)の上端部には、記録媒体(６)を押圧する板バネ(65)(65)が設けられている。
補助トレイ(５)は、記録媒体(６)を受ける底板(50)の両側に側壁(51)(51)を立設し、該側壁(51)の前端部から段軸である第３突起(52)、後端部から第４突起(53)を夫々外向きに突出している。底板(50)の後端部には、記録媒体(６)の後端部を押す押し片(54)が設けられ、該底板(50)の下面からは嵌合軸(55)が突出している。
【０００８】
シャーシ(１)の底面裏側には、周縁に歯面(30)を形成した円形の駆動カム(３)が回動自在に設けられ、該駆動カム(３)は中間ギア(95)及びウォーム(96)を介してモータ(Ｍ)駆動される。駆動カム(３)の歯面(30)はトレイ(４)のラック(46)に噛合している。
図２は、シャーシ(１)の側板(10)の右側面図である。側板(10)には、トレイ(４)の第１突起(42)、第２突起(43)及び補助トレイ(５)の第３突起(52)が嵌まる水平溝(12)と、補助トレイ(５)の第４突起(53)が嵌まるガイド溝(13)とが開設されている。第２突起(43)は、第３突起(52)の後方に位置する。ガイド溝(13)は、前方に向かって上向きに傾いた第１案内部(13a)と、該第１案内部(13a)の上端から前方に水平に延びた第２案内部(13b)を具えている。
【０００９】
図３(a)は、駆動カム(３)を上から見た斜視図、図３(b)は、駆動カム(３)の裏面図である。駆動カム(３)は一部が厚み方向に亘って２段に形成され、該段部(31)の下半分に前記の歯面(30)が、上半分に歯面(30)のピッチ円よりもほぼ同径の円筒部(32)が形成されている。駆動カム(３)の段部(31)以外の箇所には、歯面(30)が、駆動カム(３)の厚み方向の全長に亘って形成されている。駆動カム(３)の上面には、一端部が開口したカム溝(33)が形成され、該カム溝(33)の他端部は駆動カム(３)と同心の円弧部(34)を形成している。円筒部(32)の一端部には大歯(35)と該大歯(35)に隣接した凹部(36)が形成されている。
駆動カム(３)の裏面の一部には、突片(37)(37)(37)が形成され、該突片(37)は駆動カム(３)の回転角度に応じて、駆動カム(３)の下方に配備される検出スイッチ(図示せず)を押し込み、記録媒体(６)がトレイ(４)から完全に排出されたＥＪＥＣＴ状態、記録媒体(６)が第２コネクタ(７)に嵌合した挿入完了状態を検出する。
【００１０】
(記録媒体挿入動作)
図４(a)〜(d)は、ＥＪＥＣＴ状態から挿入完了状態に至るまでのトレイ(４)と補助トレイ(５)の動作を示す右側面図であり、図５(a)、(b)、図６は同上の平面図である。図４(b)〜(d)乃至図６にあっては、図示の便宜上、記録媒体(６)を図示しない。また、図４(a)〜(d)に示すように、補助トレイ(５)はシャーシ(１)の側板(10)との間に架けられた引張りバネ(９)により後方に付勢されている。
図５(a)及び図４(a)に示すＥＪＥＣＴ状態では、補助トレイ(５)の後端部はトレイ(４)の移行路から下方に逃げている。これにより、補助トレイ(５)に邪魔されずに、トレイ(４)に記録媒体(６)を挿入できる。また、トレイ(４)の待機状態では、トレイ(４)と補助トレイ(５)が重なっているから、トレイ(４)と補助トレイ(５)を収納するスペースは小さくて済む。
【００１１】
図４(a)に示すように、ＥＪＥＣＴ状態にてトレイ(４)に記録媒体(６)を挿入すると、記録媒体(６)がトレイ(４)に設けられた挿入検知スイッチ(図示せず)を押し、モータ(Ｍ)に通電する。
モータ(Ｍ)の通電により、駆動カム(３)が時計方向に回動すると、駆動カム(３)の歯面(30)とラック(46)が噛合しているから、トレイ(４)は前進する。図４(b)に示すように、トレイ(４)の前進に伴って、トレイ(４)の第２突起(43)は補助トレイ(５)の第３突起(52)を押し、補助トレイ(５)を引張りバネ(９)に抗して前進させる。補助トレイ(５)は図４(c)に示すように、トレイ(４)に対して傾いていた姿勢が略水平となるように補正されて、ガイド溝(13)の第２案内部(13b)に沿って進行する。
【００１２】
図５(b)に示すように、ラック(46)と駆動カム(３)の噛合が外れると、押し軸(47)が駆動カム(３)の凹部(36)に嵌まり、更にトレイ(４)を前進させる。このとき、カム溝(33)の開口は、補助トレイ(５)の嵌合軸(55)に対向する。
更に、駆動カム(３)が回動すると、嵌合軸(55)がカム溝(33)に嵌まり、カム溝(33)に沿って補助トレイ(５)が前進する。トレイ(４)は押し軸(47)が駆動カム(３)から外れているから、駆動カム(３)によっては動かされない。補助トレイ(５)の押し片(54)は、記録媒体(６)の後端部を押して、記録媒体(６)の第１コネクタ(60)と、シャーシ(１)上の第２コネクタ(７)を圧着させる。記録媒体(６)はストッパ(44)も押すから、トレイ(４)も前に押す。
【００１３】
図４(d)に示すように、補助トレイ(５)の第３突起(52)は、トレイ(４)の第２突起(43)から外れる。補助トレイ(５)の押し片(54)は、記録媒体(６)の後端部を押して、記録媒体(６)の第１コネクタ(60)と、シャーシ(１)上の第２コネクタ(７)(図１参照)を圧着させる。これにより、両コネクタ(60)(７)は確実に嵌合し、記録媒体(６)が不用意にコネクタ(７)から外れる虞れは解消される。また、図６に示すように、嵌合軸(55)は駆動カム(３)のカム溝(33)の円弧部(34)に嵌まっており、駆動カム(３)に加わる回転負荷のバラ付きにより、駆動カム(３)の回転角度がバラ付いても、補助トレイ(５)の位置はズレない。
更に、両コネクタ(60)(７)を圧着させるときには、補助トレイ(５)を動かす負荷は大きくなるが、嵌合軸(55)はカム溝(33)の円弧部(34)に嵌まっており、嵌合軸(55)から駆動カム(３)の中心までの距離は、駆動カム(３)の半径よりも短いから、駆動カム(３)にて楽に補助トレイ(５)を動かすことができる。特に、カム溝(33)との圧力角を小さくし、嵌合軸(55)から駆動カム(３)の中心までの距離を短く設定すれば、楽に補助トレイ(５)を動かすことができる。
本例にあっては、トレイ(４)と駆動カム(３)の歯面(30)を噛合させて、記録媒体(６)をシャーシ(１)の前端部にまで搬送させる。次に、駆動カム(３)のカム溝(33)にて補助トレイ(５)を押し、記録媒体(６)の第１コネクタ(60)と、シャーシ(１)上の第２コネクタ(７)を圧着させる。即ち、単にトレイ(４)を搬送すればよいときは、駆動カム(３)に加わる負荷が小さいから、トレイ(４)と駆動カム(３)の歯面(30)を噛合させる。両コネクタ(60)(７)を圧着させるときは、駆動カム(３)に加わる負荷が大きいから、カム溝(33)を用いて、補助トレイ(５)を動かしている。これにより、１つの駆動カム(３)にて記録媒体(６)を軽負荷にて素早く動かす動作と、記録媒体(６)を低速でも力強く動かす動作を切り換えることができ、記録媒体(６)の搬送時の負荷に応じた適切な動作ができる。また、カム溝(33)だけでトレイ(４)を動かすと、トレイ(４)の移動ストロークは駆動カム(３)の半径以上には大きくできないが、歯面(30)にてトレイ(４)を、カム溝(33)にて補助トレイ(５)を動かすことにより、記録媒体(６)を搬送するストロークを大きくできる。
【００１４】
記録媒体(６)と第２コネクタ(７)の嵌合を外して、トレイ(４)を後退させ、記録媒体(６)を装置から排出する場合には、上記と逆の動作を行う。即ち、カム溝(33)が補助トレイ(５)を、補助トレイ(５)がトレイ(４)を駆動して、ストッパ(44)が記録媒体(６)と第２コネクタ(７)の嵌合を外した後に、トレイ(４)のラック(46)と駆動カム(３)の歯面(30)が噛合してトレイ(４)を後退させる。補助トレイ(５)はガイド溝(13)に沿って下がり、トレイ(４)の後退を邪魔しない。
【００１５】
尚、図８に示すように、トレイ(４)の前端部に記録媒体(６)が載置されないトレイ(４)がそのまま前進することを防ぐ規制部材(８)を昇降可能に設けても良い。規制部材(８)はトレイ(４)の第１突起(42)に嵌まる長孔(81)を開設した縦板(80)の下端部に、トレイ(４)の底板(40)に接する蹴られ片(82)を設け、バネ(83)により上向きに付勢されている。トレイ(４)に記録媒体(６)が載置されない状態では、縦板(80)の上端部は側板(10)の上縁よりも上側に位置し、蹴られ片(82)はトレイ(４)の底板(40)よりも突出している。このまま、トレイ(４)が前進すると、縦板(80)の上端部が側板(10)の規制片(11)(図１参照)に接して、前進を規制される。
トレイ(４)に記録媒体(６)が載置されると、記録媒体(６)の下面が蹴られ片(82)をバネ(83)に抗して押して下げ、縦板(80)の上端部が側板(10)の上縁から引っ込む。トレイ(４)は規制片(11)に邪魔されずに、前進できる。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】本例に係わる装置の分解平面図である。
【図２】シャーシの側板の右側面図である。
【図３】(a)は、駆動カムを上から見た斜視図、(b)は、駆動カムの裏面図である。
【図４】(a)〜(d)は、ＥＪＥＣＴ状態から挿入完了状態に至るまでのトレイと補助トレイの動作を示す右側面図である。
【図５】(a)、(b)は、トレイと補助トレイの動作を示す平面図である。
【図６】トレイと補助トレイの動作を示す平面図である。
【図７】記録媒体の斜視図である。
【図８】トレイを一部破断した斜視図である。
【図９】第２コネクタの斜視図である。
【図１０】トレイに載置された記録媒体の第１コネクタが、第２コネクタに嵌合する直前の状態を示す側面断面図である。
【図１１】(a)、(b)は、従来の記録又は再生装置を簡略化して示す平面図である。
【符号の説明】
(１)  シャーシ
(３)  駆動カム
(４)  トレイ
(６)  記録媒体
(７)  第２コネクタ
(30)  歯面
(33)  カム溝
(34)  円弧部
【図１】
0004204211.tif 000002
【図２】
0004204211.tif 000003
【図３】
0004204211.tif 000004
【図４】
0004204211.tif 000005
【図５】
0004204211.tif 000006
【図６】
0004204211.tif 000007
【図７】
0004204211.tif 000008
【図８】
0004204211.tif 000009
【図９】
0004204211.tif 000010
【図１０】
0004204211.tif 000011
【図１１】
0004204211.tif 000012